(57)【要約】【解決手段】本発明は、電気デバイスと電力制御モジュールとを解放可能に接続する接続装置を提供する。電気デバイスは電動機能部品を備え、電力制御モジュールは、電気デバイスと電力制御モジュールとの接続時に電動機能部品への電力の供給を制御するデバイスを備える。接続装置は、電気デバイスまたは電力制御モジュールの一方に関連する第１接続部を備える。第１接続部は、電気デバイスまたは電力制御モジュールの他方に関連する第２接続部と係合するように構成される。第１接続部は第１係止部材を有し、第２接続部が第２係止部材を有する。第１および第２接続部の係合時に、第１および第２接続部が分離可能である非係止位置と、第１および第２接続部互いに係止される係止位置との間で、第１および第２係止部材が互いに対して移動可能である。好ましくは、電気デバイスは電力工具モジュールである。【選択図】図７
2013520325.tif 000002
【特許請求の範囲】
【請求項１】
電気デバイスと電力制御モジュールとを解放可能に接続する接続装置であって、
前記電気デバイスは電動機能部品を備え、前記電力制御モジュールは、前記電気デバイスと該電力制御モジュールとの接続時に前記電動機能部品への電力の供給を制御するデバイスを備え、
前記接続装置は、前記電気デバイスまたは前記電力制御モジュールの一方に関連する第１接続部を備え、
前記第１接続部は、前記電気デバイスまたは前記電力制御モジュールの他方に関連する第２接続部と係合するように構成され、
前記第１接続部は第１係止部材を有し、前記第２接続部が第２係止部材を有し、
前記第１および第２接続部の係合時に、前記第１および第２接続部が分離可能である非係止位置と、前記第１および第２接続部互いに係止される係止位置との間で、前記第１および第２係止部材が互いに対して移動可能である
ことを特徴とする接続装置。
【請求項２】
前記係止位置において、前記第１および第２接続部がともに圧縮されることを特徴とする請求項１に記載の接続装置。
【請求項３】
前記係止位置において、前記第１および第２係止部材が締まり嵌めで互いに係合することを特徴とする請求項１または２に記載の接続装置。
【請求項４】
前記第１接続部が第１接続部材と前記第１係止部材とを備え、
前記第２接続部が第２接続部材と前記第２係止部材とを備え、
前記第１および第２係止部材が分離位置と係止位置との間で互いに対して移動可能となるように、前記第１および第２接続部材が接続可能であり、
前記係止位置において、前記第１および第２係止部材が係止位置と非係止位置との間で互いに対して移動可能であることを特徴とする請求項１ないし３のいずれかに記載の接続装置。
【請求項５】
前記第１および第２接続部材の接続時に、前記第１および第２係止部材が分離位置と係止位置の間で互いに対して円弧状に枢動するように、前記第１および第２接続部材が枢動可能に接続されることを特徴とする請求項４に記載の接続装置。
【請求項６】
前記第１および第２係止部材がアンカーと可動引っかけ部とを備え、
前記第１および第２係止部材が係止位置にあるとき、前記アンカーが前記引っかけ部に対して自由に移動する非係止位置と、前記アンカーと前記引っかけ部が係合する係止位置との間で、前記引っかけ部が移動可能であることを特徴とする請求項３または４に記載の接続装置。
【請求項７】
前記第１接続部が一組の第１係止部材を備え、前記第２接続部が一組の第２係止部材を備え、
前記第１係止部材が一組のアンカーを備え、前記第２係止部材が一組の可動引っかけ部を備え、
前記第１および第２係止部材が係止位置にあるとき、前記アンカーが前記引っかけ部に対して自由に移動する非係止位置と、前記アンカーと前記引っかけ部が締まり嵌めで係合する係止位置との間で、前記引っかけ部が移動可能であることを特徴とする請求項３ないし６のいずれかに記載の接続装置。
【請求項８】
前記引っかけ部が、前記非係止位置と前記係止位置との間で付勢機構によって少なくとも部分的に作動されることを特徴とする請求項７に記載の接続装置。
【請求項９】
前記引っかけ部が、前記非係止位置と前記係止位置との間で少なくとも部分的に手動操作されることを特徴とする請求項７または８に記載の接続装置。
【請求項１０】
前記引っかけ部は、前記アンカーに隣接する表面と接触する傾斜面を備え、
前記第１および第２係止部材が前記分離位置と前記係止位置との間で互いに対して移動するとき、前記アンカーに隣接する表面に対して前記傾斜面がスライドし、前記係止位置と非係止位置との間で作動されることを特徴とする請求項７、８または９に記載の接続装置。
【請求項１１】
前記第１接続部材と前記第１係止部材が第１接続軸に沿った方向で離れて配置され、
前記第２接続部材と前記第１係止部材が第２接続軸に沿った方向で離れて配置され、
前記第１および第２接続部を接続することは、前記第１接続軸が前記第２接続軸と合流するように前記第２接続部に対して前記第１接続部の方向を合わせ、前記第１および第２接続部材を動かして係合させることを含むことを特徴とする請求項１ないし１０のいずれかに記載の接続装置。
【請求項１２】
前記第１および第２接続部材は、スロットと、該スロット内に受け入れ可能な隆起部と、を備え、これによって前記第１および第２接続部材が接続されることを特徴とする請求項１ないし１１のいずれかに記載の接続装置。
【請求項１３】
前記第１接続部が第１電気接点を備え、前記第２接続部が第２電気接点を備え、
前記第１接続部が前記第２接続部と結合するとき、前記第１および第２電気接点が物理接触するように構成されることを特徴とする請求項１ないし１２のいずれかに記載の接続装置。
【請求項１４】
前記電力制御モジュールがハウジングを備え、
前記電力制御モジュールの接続部の前記電気接点が前記ハウジング内に埋め込まれ、ユーザが該電気接点に接触しないようにすることを特徴とする請求項１３に記載の接続装置。
【請求項１５】
前記電力制御モジュールは、ハンドルと、前記電気デバイスと該電力制御モジュールの接続時に前記機能部品への電力の供給を制御するスイッチアセンブリと、を備えることを特徴とする請求項１ないし１４のいずれかに記載の接続装置。
【請求項１６】
前記電力制御モジュールは、交流電源に接続し該電力制御モジュールへの電力の通過を容易にする電気ケーブルを備えることを特徴とする請求項１ないし１５のいずれかに記載の接続装置。
【請求項１７】
前記電力制御モジュールが充電式電気貯蔵デバイスを備えることを特徴とする請求項１ないし１６のいずれかに記載の接続装置。
【請求項１８】
前記電気デバイスが電力工具モジュールを含むことを特徴とする請求項１ないし１７のいずれかに記載の接続装置。
【請求項１９】
電動機能部品を備える電気デバイスに解放可能に接続される電力制御モジュールであって、
前記電力制御モジュールは、前記電気デバイスと該電力制御モジュールとの接続時に前記電動機能部品への電力の供給を制御するデバイスを備え、
前記電力制御モジュールは、係止部材を有する接続部を有するハウジングを備え、
前記接続部は前記電気デバイスと係合するように構成され、係合時に前記係止部材は係止状態と非係止状態とを有し、
前記非係止状態では、前記電力制御モジュールを前記電気デバイスから分離可能であり、前記係止状態では、前記電力制御モジュールの前記接続部が前記電気デバイスとともに圧縮される
ことを特徴とする電力制御モジュール。
【請求項２０】
前記接続部が接続部材と前記係止部材とを備え、
前記接続部材は前記電気デバイスと接続するように構成され、接続時に、前記係止部材は分離位置と係止位置との間で前記電気デバイスに対して移動可能であり、これによって前記接続部を前記電気デバイスに結合することを特徴とする請求項１９に記載の電力制御モジュール。
【請求項２１】
前記接続部材は、前記電気デバイスの隆起部を受け入れるスロットを備え、前記分離位置と前記係止位置との間で前記スロットと前記隆起部の周りを前記接続部が枢動可能であることを特徴とする請求項２０に記載の電力制御モジュール。
【請求項２２】
前記係止部材は、前記電気デバイスのアンカーと相互作用するように構成された可動引っかけ部を備え、
係止位置において、前記アンカーが前記引っかけ部に対して自由に移動する非係止位置と、前記アンカーと前記引っかけ部が締まり嵌めで係合する係止位置との間で、前記引っかけ部が移動可能であることを特徴とする請求項１９ないし２１のいずれかに記載の電力制御モジュール。
【請求項２３】
前記引っかけ部が、前記非係止位置と前記係止位置との間で付勢機構によって少なくとも部分的に作動されることを特徴とする請求項２２に記載の電力制御モジュール。
【請求項２４】
前記引っかけ部が、前記非係止位置と前記係止位置との間で少なくとも部分的に手動操作されることを特徴とする請求項２２または２３に記載の電力制御モジュール。
【請求項２５】
前記接続部は、前記ハウジング内に埋め込まれた電気接点を備え、該電気接点は、前記接続部が前記電気デバイスと係合するとき、該電気デバイスの突出する電気接点と物理接触するように構成されることを特徴とする請求項１９ないし２４のいずれかに記載の電力制御モジュール。
【請求項２６】
前記電力制御モジュールは、ハンドルと、前記電気デバイスと該電力制御モジュールの接続時に前記機能部品への電力の供給を制御するスイッチアセンブリと、を備えることを特徴とする請求項１９ないし２５のいずれかに記載の電力制御モジュール。
【請求項２７】
前記電力制御モジュールは、交流電源に接続し該電力制御モジュールへの電力の通過を容易にする電気ケーブルを備えることを特徴とする請求項１９ないし２６のいずれかに記載の電力制御モジュール。
【請求項２８】
電力制御モジュールに解放可能に接続される、電動機能部品を備える電気デバイスであって、
前記電力制御モジュールは、前記電気デバイスと該電力制御モジュールとの接続時に前記電動機能部品への電力の供給を制御するデバイスを備え、
前記電気デバイスは、係止部材を有する接続部を有するハウジングを備え、
前記接続部は前記電力制御モジュールと係合するように構成され、係合時に前記係止部材は係止状態と非係止状態とを有し、
前記非係止状態では、前記電気デバイスを前記電力制御モジュールから分離可能であり、前記係止状態では、前記電気デバイスの前記接続部が電力制御モジュールとともに圧縮される
ことを特徴とする電気デバイス。
【請求項２９】
前記接続部が接続部材と前記係止部材とを備え、
前記接続部材は前記電力制御モジュールと接続するように構成され、接続時に、前記係止部材は分離位置と係止位置との間で前記電気デバイスに対して移動可能であり、これによって前記接続部を前記電力制御モジュールに結合することを特徴とする請求項２８に記載の電気デバイス。
【請求項３０】
前記接続部材は、前記電力制御モジュールのスロット内に挿入される隆起部を備え、前記分離位置と前記係止位置との間で前記スロットと前記隆起部の周りを前記接続部が枢動可能であることを特徴とする請求項２９に記載の電気デバイス。
【請求項３１】
前記係止部材は、前記電力制御モジュールの可動引っかけ部と相互作用するように構成されたアンカーを備え、
係止位置において、前記引っかけ部が前記アンカーに対して自由に移動する非係止位置と、前記アンカーと前記引っかけ部が締まり嵌めで係合する係止位置との間で、前記引っかけ部が移動可能であることを特徴とする請求項２８ないし３０のいずれかに記載の電気デバイス。
【請求項３２】
前記接続部は、前記ハウジングから突出する電気接点を備え、該電気接点は、前記接続部が前記電力制御モジュールと係合するとき、該電力制御モジュールの埋め込まれた電気接点と物理接触するように構成されることを特徴とする請求項２８ないし３１のいずれかに記載の電気デバイス。
【請求項３３】
前記電気デバイスが電力工具モジュールを含むことを特徴とする請求項２８ないし３２のいずれかに記載の電気デバイス。
【発明の詳細な説明】
【技術分野】
【０００１】
本発明は、電動工具の分野に関する。より詳細には、本発明は携帯型電動工具の分野に関し、また、多数の異なるモジュール式電動工具デバイスの任意の一つに、電動工具ハンドルと、それらへの電源入力を制御するスイッチアセンブリとが取り外し可能に取り付けられるモジュール式の携帯型電動工具装置に関する。しかしながら、本発明は、携帯型電動工具以外の電気器具に幅広く適用できることを理解すべきである。
【背景技術】
【０００２】
様々な異なる機能の実施に利用可能な多種多様の携帯型電動工具が存在する。例えば、穴開け用のドリル、ねじ回し用の電動ドライバー、ワークピースを切断する電動のこぎり、ワークピースから材料を研磨する電動グラインダー、および様々な他の作業を実行するための様々な他の工具が存在する。一つまたは複数の必要な仕事を実行するための一連の工具を消費者が持てるようにするためには、消費者が様々な電動工具を購入する必要がある。多種多様の電動工具を購入するにはかなりの費用がかかる。なぜなら、各工具は、メーカーによって調達され、組み立てられ、包装され、輸送されなければならない、電気モータ、スイッチ、ハンドルアセンブリ、電気ケーブル、または工具に電力を提供するバッテリーを含む様々な部品を備えるからである。
【発明の概要】
【発明が解決しようとする課題】
【０００３】
したがって、様々な電動工具をより低コストで消費者に提供できることが望ましい。
【課題を解決するための手段】
【０００４】
したがって、本発明は、第１態様において、電気デバイスと電力制御モジュールとを解放可能に接続する接続装置を提供する。電気デバイスは電動機能部品を備え、電力制御モジュールは、電気デバイスと電力制御モジュールとの接続時に電動機能部品への電力の供給を制御するデバイスを備える。接続装置は、電気デバイスまたは電力制御モジュールの一方に関連する第１接続部を備える。第１接続部は、電気デバイスまたは電力制御モジュールの他方に関連する第２接続部と係合するように構成される。第１接続部は第１係止部材を有し、第２接続部が第２係止部材を有する。第１および第２接続部の係合時に、第１および第２接続部が分離可能である非係止位置と、第１および第２接続部互いに係止される係止位置との間で、第１および第２係止部材が互いに対して移動可能である。
【０００５】
本発明の実施形態では、係止位置において、第１および第２接続部がともに圧縮される。
【０００６】
別の実施形態では、係止位置において、第１および第２係止部材が締まり嵌めで互いに係合する。
【０００７】
さらに別の実施形態では、第１接続部が第１接続部材と第１係止部材とを備え、第２接続部が第２接続部材と第２係止部材とを備え、第１および第２係止部材が分離位置と係止位置との間で互いに対して移動可能となるように、第１および第２接続部材が接続可能であり、係止位置において、第１および第２係止部材が係止位置と非係止位置との間で互いに対して移動可能である。
【０００８】
さらなる実施形態では、第１および第２接続部材の接続時に、第１および第２係止部材が分離位置と係止位置の間で互いに対して円弧状に枢動するように、第１および第２接続部材が枢動可能に接続される。
【０００９】
さらなる実施形態では、第１接続部材と第１係止部材が第１接続軸に沿った方向で離れて配置され、第２接続部材と第１係止部材が第２接続軸に沿った方向で離れて配置され、第１および第２接続部を接続することは、第１接続軸が第２接続軸と合流するように第２接続部に対して第１接続部の方向を合わせ、第１および第２接続部材を動かして係合させることを含む。
【００１０】
好適な実施形態では、第１および第２接続部材は、スロットと、スロット内に受け入れ可能な隆起部と、を備え、これによって第１および第２接続部材が接続される。
【００１１】
さらなる好適な実施形態では、第１および第２係止部材がアンカーと可動引っかけ部とを備え、第１および第２係止部材が係止位置にあるとき、アンカーが引っかけ部に対して自由に移動する非係止位置と、アンカーと引っかけ部が締まり嵌めで係合する係止位置との間で、引っかけ部が移動可能である。
【００１２】
本発明の一実施形態では、引っかけ部は、アンカーに隣接する表面と接触する傾斜面を備え、第１および第２係止部材が分離位置と係止位置との間で互いに対して移動するとき、アンカーに隣接する表面に対して傾斜面がスライドし、係止位置と非係止位置との間で作動される。
【００１３】
好適な実施形態では、引っかけ部が、非係止位置と係止位置との間で付勢機構によって少なくとも部分的に作動される。
【００１４】
別の好適な実施形態では、引っかけ部が、非係止位置と係止位置との間で少なくとも部分的に手動操作される。
【００１５】
さらなる好適な実施形態では、第１接続部が第１電気接点を備え、第２接続部が第２電気接点を備え、第１接続部が第２接続部と結合するとき、第１および第２電気接点が物理接触するように構成される。
【００１６】
別の実施形態では、電力制御モジュールがハウジングを備え、電力制御モジュールの接続部の電気接点がハウジング内に埋め込まれ、ユーザが電気接点に接触しないようにする。
【００１７】
別の実施形態では、電力制御モジュールは、ハンドルと、電気デバイスと電力制御モジュールの接続時に機能部品への電力の供給を制御するスイッチアセンブリと、を備える。
【００１８】
別の実施形態では、電力制御モジュールは、交流電源に接続し電力制御モジュールへの電力の通過を容易にする電気ケーブルを備える。
【００１９】
好適な実施形態では、電力制御モジュールが充電式電気貯蔵デバイスを備える。
【００２０】
別の態様では、電気デバイスが電力工具モジュールを含む。
【００２１】
別の態様では、本発明は、電動機能部品を備える電気デバイスに解放可能に接続される電力制御モジュールを提供する。電力制御モジュールは、電気デバイスと電力制御モジュールとの接続時に電動機能部品への電力の供給を制御するデバイスを備える。電力制御モジュールは、係止部材を有する接続部を有するハウジングを備える。接続部は電気デバイスと係合するように構成され、係合時に係止部材は係止状態と非係止状態とを有する。非係止状態では、電力制御モジュールを電気デバイスから分離可能であり、係止状態では、電力制御モジュールの接続部が電気デバイスとともに圧縮される。
【００２２】
本発明の実施形態では、接続部が接続部材と係止部材とを備え、接続部材は電気デバイスと接続するように構成され、接続時に、係止部材は分離位置と係止位置との間で電気デバイスに対して移動可能であり、これによって接続部を電気デバイスに結合する。
【００２３】
一実施形態では、接続部材は、電気デバイスの隆起部を受け入れるスロットを備え、分離位置と係止位置との間でスロットと隆起部の周りを接続部が枢動可能である。
【００２４】
別の実施形態では、係止部材は、電気デバイスのアンカーと相互作用するように構成された可動引っかけ部を備え、係止位置において、アンカーが引っかけ部に対して自由に移動する非係止位置と、アンカーと引っかけ部が締まり嵌めで係合する係止位置との間で、引っかけ部が移動可能である。
【００２５】
別の実施形態では、引っかけ部が、非係止位置と係止位置との間で付勢機構によって少なくとも部分的に作動される。
【００２６】
別の実施形態では、引っかけ部が、非係止位置と係止位置との間で少なくとも部分的に手動操作される。
【００２７】
一実施形態では、接続部は、ハウジング内に埋め込まれた電気接点を備え、電気接点は、接続部が電気デバイスと係合するとき、電気デバイスの突出する電気接点と物理接触するように構成される。
【００２８】
別の実施形態では、電力制御モジュールは、ハンドルと、電気デバイスと電力制御モジュールの接続時に機能部品への電力の供給を制御するスイッチアセンブリと、を備える。
【００２９】
別の実施形態では、電力制御モジュールは、交流電源に接続し電力制御モジュールへの電力の通過を容易にする電気ケーブルを備える。
【００３０】
別の態様では、本発明は、電力制御モジュールに解放可能に接続される、電動機能部品を備える電気デバイスを提供する。電力制御モジュールは、電気デバイスと電力制御モジュールとの接続時に電動機能部品への電力の供給を制御するデバイスを備える。電気デバイスは、係止部材を有する接続部を有するハウジングを備える。接続部は電力制御モジュールと係合するように構成され、係合時に係止部材は係止状態と非係止状態とを有する。非係止状態では、電気デバイスを電力制御モジュールから分離可能であり、係止状態では、電気デバイスの接続部が電力制御モジュールとともに圧縮される。
【００３１】
一実施形態では、接続部が接続部材と係止部材とを備え、接続部材は電力制御モジュールと接続するように構成され、接続時に、係止部材は分離位置と係止位置との間で電気デバイスに対して移動可能であり、これによって接続部を電力制御モジュールに締まり嵌めで結合する。
【００３２】
一実施形態では、接続部材は、電力制御モジュールのスロット内に挿入される隆起部を備え、分離位置と係止位置との間でスロットと隆起部の周りを接続部が枢動可能である。
【００３３】
別の実施形態では、係止部材は、電力制御モジュールの可動引っかけ部と相互作用するように構成されたアンカーを備え、係止位置において、引っかけ部がアンカーに対して自由に移動する非係止位置と、アンカーが引っかけ部によって保持される係止位置との間で、引っかけ部が移動可能である。
【００３４】
別の実施形態では、接続部は、ハウジングから突出する電気接点を備え、電気接点は、接続部が電力制御モジュールと係合するとき、電力制御モジュールの埋め込まれた電気接点と物理接触するように構成される。
【００３５】
一実施形態では、電気デバイスが電力工具モジュールを含む。
【００３６】
以下の図面を参照して、本発明をより詳細に説明する。以下の図面は、モジュール式電動ドリルの形態のモジュール式電動工具と電力制御モジュールの形態で本発明の実施形態を表している。便宜上、モジュール式電動ドリルの実施形態を参照して本発明を以下で詳細に説明する。しかしながら、電気のこぎり、電気ねじ回し、電気ハンマードリルなどの他の形態の電気工具、および、発光デバイス、ラジオ、デジタル音楽プレイヤーなどの他の電気デバイスを含む、他のモジュール式電気デバイスとともに使用するのに本発明が適している場合があることを理解すべきである。
【図面の簡単な説明】
【００３７】
【図１】電気工具と電力制御モジュールが組み立てられた状態の、ハンドルとスイッチアセンブリとを含むモジュール式電気ドリルおよび電力制御モジュールの形態の電子装置を含む、モジュール式電気デバイスおよび電気制御モジュールの斜視図である。
【図２】電気工具と電力制御モジュールが部分的に組み立てられた状態の、図１のアセンブリの斜視図である。
【図３】電気ドリルと電力制御モジュールが部分的に組み立てられた状態の、図１のアセンブリの正面図である。
【図４】電気ドリルと電力制御モジュールが組み立てられた状態の、図１のアセンブリの正面図である。
【図５】図１のアセンブリの電力制御モジュールの斜視図である。
【図６】図１のアセンブリの電気ドリルの斜視図である。
【図７】電気ドリルと電力制御モジュールが組み立てられた状態の、本発明のモジュール式電気デバイスと電力制御モジュールの別の実施形態の斜視図である。
【図８】電気ドリルと電力制御モジュールが組み立てられた状態の、図７のアセンブリの背面図である。
【図９】電気ドリルと電力制御モジュールが部分的に組み立てられた状態の、図７のアセンブリの側面図である。
【図１０】電気ドリルと電力制御モジュールが部分的に組み立てられた状態の、図７のアセンブリの背面図である。
【図１１】電気ドリルと電力制御モジュールが切り離された状態の、図７のアセンブリの側面図である。
【図１２】電気ドリルと電力制御モジュールが切り離された状態の、図７のアセンブリの背面図である。
【図１３】電気ドリルと電力制御モジュールが切り離された状態の、図７のアセンブリの斜視図である。
【図１４】電気ドリルと電力制御モジュールが切り離された状態の、図７のアセンブリの斜視図である。
【図１５】電気ドリルと電力制御モジュールが部分的に組み立てられた状態であり、電気ドリルと電力制御モジュールのハウジングの一部が隠れている、図７のアセンブリの斜視図である。
【図１６】電気ドリルと電力制御モジュールが組み立てられた状態であり、電気ドリルと電力制御モジュールのハウジングの一部が隠れている、図７のアセンブリの斜視図である。
【図１７】モジュールのハウジングの一部が取り除かれた、本発明の別の実施形態に係る電力制御モジュール装置の斜視図である。
【図１８】電気デバイスがモジュール式電気ドリルの形態である、図１７の電力制御モジュール装置に接続される電気デバイスの斜視図である。
【図１９】図１８の電気デバイスの別の斜視図である。
【発明を実施するための形態】
【００３８】
図１ないし１６は、電気デバイス２０と電力制御モジュール３０とを含むモジュールアセンブリ１０の形態の、本発明の好適な実施形態を示す。モジュールアセンブリ１０は、電気デバイス２０と電力制御モジュール３０とを解放可能に接続する接続装置５０を備える。電気デバイス２０は、携帯型電気ドリル、携帯型電気のこぎり、携帯型電気ねじ回し、携帯型電気ハンマードリル、および、電気工具本体に対して作業要素を駆動するための駆動手段および被駆動部材を利用する任意の他の電気工具を含む、任意の形態の電気デバイスを含んでもよい。電気デバイス２０は、トーチ等の発光デバイス、ラジオ、またはデジタル音声再生装置を含む他の形態の電気デバイスを含んでもよい。したがって、電気デバイス２０は、電気モータなどの電動機能部品（図示せず）、電気発光デバイス、マイクロプロセッサデバイス、または任意の他の電動デバイスを含む任意のデバイスであってもよい。
【００３９】
電力制御モジュール３０と電気デバイス２０との間にある接続装置５０は、様々なモジュール式電気デバイス２０への電力制御モジュール３０の接続および取り外しを容易にする。図１ないし１６に示す電気ドリルモジュールは、例示に過ぎない。
【００４０】
電力制御モジュール３０は、ハンドル部３４を有するハウジング３２を備える。ハンドル部３４は、底部３７と反対の上部３９との間に延びる。ハンドル部３４は、前端３６と、後端３５と、前端３６と後端３５の間に延びる二つの対向する側面３１、３３とを有する。図７ないし１６に示すように、ハンドル部３４の前端３６は、ハンドルを保持するときにユーザの指を保護するガードを提供する。ハンドル部３４の前端３６は、トリガ機構３８の不用意な操作の可能性を低減するのにも有効であり、またケーブル５２をその上に巻き付けるのにも使用することができる。図１５および１６に示すように、ハウジング３２は、ハウジング３２内に取り付けられたスイッチアセンブリ４１を保持する。ハウジング３２は、ハンドル３４の底部３７でハウジング３２から延びる電気ケーブル５２を備える。ケーブル５２は、交流電源などの電源に接続するのに適している。図１、４、７、８、１６に示すように電力制御モジュール３０と電気デバイス２０とが組み立てられた状態のとき、電気デバイス２０の電動機能部品に電力を供給するように機能するスイッチアセンブリにケーブル５２が接続される。電力制御モジュール３０は、ハウジング３２の前端３６に取り付けられたトリガ機構３８を備える。トリガ機構３８は、電気デバイス２０の電動機能部品に電力をそれぞれ供給または切断する作動状態と非作動状態との間でスイッチアセンブリ４１を手動で操作するように機能する。
【００４１】
別の形態では、ハウジング３２は、充電バッテリーなどの搭載電源を収容してもよい。バッテリーは、電気化学電池、超コンデンサ、ハイブリッド・キャパシタ、またはこれらの組み合わせを含んでもよい。図１、４、７、８、１６に示すように電力制御モジュール３０と電気デバイス２０とが組み立てられた状態のとき、電気デバイス２０の電動機能部品に電力を供給するように機能するスイッチアセンブリに搭載電源を接続することができる。
【００４２】
接続装置５０は、第１接続部６０と第２接続部７０とを備える。第１接続部６０は、電力制御モジュール３０または電気デバイス２０のいずれかに関連し、第２接続部７０は、電力制御モジュール３０および電気デバイス２０の他方に関連してもよい。図示する実施形態では、第１接続部６０は電力制御モジュール３０に関連し、第２接続部７０は電気デバイス２０に関連する。
【００４３】
一般に、第１接続部６０は、少なくとも一つの第１係止部材６５を備え、第２接続部７０は少なくとも一つの第２係止部材７５を備える。以下で詳細に説明するように、接続装置５０は、最初にモジュール３０と電気デバイス２０、第１接続部６０と第２接続部７０を互いに向けて移動させ、第１接続部６０と第２接続部７０を係合させることによって、電力制御モジュール３０とモジュール式電気デバイス２０の一つとの接続を容易にする。一旦第１接続部６０と第２接続部７０が係合すると、第１係止部材６５と第２係止部材７５とが係止位置にある。係止位置において、第１係止部材６５と第２係止部材７５は、非係止位置と係止位置の間で互いに対して移動可能である。非係止位置では、第１係止部材６５と第２係止部材７５は、互いに対して移動可能であり、第１接続部６０と第２接続部７０、および電力制御モジュール３０とモジュール式電気デバイス２０を互いに分離することができる。係止位置では、第１係止部材６５と第２係止部材７５は互いに対して移動できず、第１接続部６０と第２接続部７０、および電力制御モジュール３０とモジュール式電気デバイス２０は、互いの係合状態がしっかりと維持される。さらに、第１係止部材６５と第２係止部材７５は、係止位置において第１接続部６０と第２接続部７０が互いに圧縮されるように構成されている。互いに締まり嵌めで係合するように第１係止部材６５と第２係止部材７５を構成することによって、これを実現することができる。
【００４４】
こうして、第１係止部材６５と第２係止部材７５が係止位置にあるとき、電力制御モジュール３０とモジュール式電気デバイス２０が圧縮またはクランプされ、電力制御モジュール３０とモジュール式電気デバイス２０を単一の一体化されたアセンブリにする。そのため、電力制御モジュール３０とモジュール式電気デバイス２０の利点は、使用時に、電力制御モジュール３０とモジュール式電気デバイス２０との間の遊びが実質的に排除された一体の統合化されたデバイスの感覚を電力制御モジュール３０およびモジュール式電気デバイス２０が有していることである。したがって、電力制御モジュール３０とモジュール式電気デバイス２０の組み合わせに力を与えるハンドルを電力制御モジュール３０が備えている実施形態では、例えば電力制御モジュール３０とモジュール式電気デバイス２０のハンドルを通してワークピースに圧力を加えるとき、一体の統合化されたデバイスの感覚をユーザに与え、ワークピースに対し正確な作業を実行することが可能になる。
【００４５】
図示の実施形態では、図２−６、９、１０、１２−１５で最も良く分かるように、第１接続部６０は第１接続部材６２と第１係止部材６５を備える。第１係止部材６５は、第１接続軸Ｘに沿って第１接続部材６２から離れて配置される。第２接続部７０は、第２接続部材７２と、第２接続軸Ｙに沿って第２接続部材７２から離れて配置される第２係止部材７５と、を備える。以下で詳細に説明するように、接続装置５０は、モジュール３０と電気デバイス２０、第１接続部６０と第２接続部７０を、第１接続軸Ｘが第２接続軸Ｙと合流する状態で互いに向けて移動させ、図２、３、９、１０、１５に示すように第１接続部材６２と第２接続部材７２を係合させることによって、電力制御モジュール３０とモジュール式電気デバイス２０の一つとの接続を容易にする。
【００４６】
第１接続部材６２と第２接続部材７２が係合すると、続いて電力制御モジュール３０とモジュール式電気デバイス２０とを互いに対して傾けて、第１接続軸Ｘと第２接続軸Ｙを互いに対して円弧状に移動または枢動させる。この結果、図１、４、７、８、１６に示すように、係止位置で互いに係合するまで、第１係止部材６５と第２係止部材７５も分離した位置から互いに対して円弧状に移動または枢動する。係止位置では、第１係止部材６５と第２係止部材７５は、係止位置と非係止位置の間で互いに対して移動可能であり、これによってそれぞれ係止状態と非係止状態を提供する。係止状態では、第１係止部材６５と第２係止部材７５が係止および圧縮され、非係止状態では、第１係止部材６５と第２係止部材７５が互いに対して自由に移動する。
【００４７】
接続装置５０は、電力制御モジュール３０とモジュール式電気デバイス２０の一つの分離も容易にする。第１係止部材６５と第２係止部材７５を係止位置から非係止位置まで互いに対して移動させ、これによって第１係止部材６５と第２係止部材７５の状態を係止状態から非係止状態に変更することによって、これが達成される。続いて、電力制御モジュール３０とモジュール式電気デバイス２０を互いに対して傾けると、図２、３、９、１０、１５に示す位置への円弧または枢動運動で互いから離れるように第１接続軸Ｘと第２接続軸Ｙが移動する。電力制御モジュール３０と電気デバイス２０を傾けて、第１接続軸Ｘと第２接続軸Ｙを互いから離して移動させると、第１係止部材６５と第２係止部材７５も互いから離れるように円弧状に移動または枢動する。そして、第１接続軸Ｘが第２接続軸Ｙと合流する状態でモジュール３０と電気デバイス２０を互いから引き離して、第１接続部材６２と第２接続部材７２が係合から外れて図１１−１４に示す位置に移動する。
【００４８】
図示しない接続装置５０の別の形態では、第１接続部６０が一組の第１係止部材６５を備える。一組の第１係止部材６５は、第１接続軸Ｘに沿って互いに離れて配置される。第２接続部７０は、第２接続軸Ｙに沿って互いに離れて配置される一組の第２係止部材７５を備える。接続装置５０は、モジュール３０と電気デバイス２０、第１接続部６０と第２接続部７０を、第１接続軸Ｘと第２接続軸Ｙとに略直交する方向で互いに向けて移動させ、第１係止部材６５の組と第２係止部材７５の組とが係止位置にあるようにすることによって、電力制御モジュール３０とモジュール式電気デバイス２０の一つとの接続を容易にする。係止位置では、第１接続部６０と第２接続部７０が互いに結合すると、第１係止部材６５の組と第２係止部材７５の組が、係止位置と非係止位置の間で互いに対して移動可能になる。係止位置では、第１接続部６０と第２接続部７０が係止および圧縮され、非係止位置では、第１接続部６０と第２接続部７０が分離可能である。
【００４９】
接続装置５０の好適な実施形態を、図示の実施形態を参照して以下でさらに詳細に説明する。上述のように、第１接続部６０は、第１接続部材６２と第１係止部材６５とを備える。第１接続部６０は、ハンドル３４の上部３９に、ハウジング３２の上部に沿って配置される。このため、第１接続部６０は、ハンドル３４の底部３７とそこから延びるケーブル５２とは遠位に位置している。第１接続部６０は、トリガ３８に直接隣接している。
【００５０】
第１接続部材６２は、ハンドル３４の後部３５からハンドル３４の前部３６へと全体として方向Ｑに延びる細長いスロット６４を備える。第１接続部材６２のスロット６４は、ハンドル３４の前部３６を超えて延び、張り出している。スロット６４は、ハンドル３４の底部３７から上部３９に延びる方向Ａと直交する方向に全体として延びる。したがって、ユーザがハンドル部３４を把持したとき、ユーザの人差し指がトリガ機構３８の周りを包み、ユーザの手の平の付け根がハンドル部３４の後端３５にもたれかかり、スロット６４が全体的に延びる方向Ｑが、ユーザがハンドル３４を把持したときユーザの手の平の付け根からユーザの人差し指に向かう方向でもあるように、電力制御モジュール３０が構成される。
【００５１】
第１係止部材６５は、第１接続軸Ｘに沿って第１接続部材６２から離れて配置される。図示の実施形態では、第１接続軸Ｘは、ハンドル３４の底部３７から上部３９に延びる軸Ａの方向を全体的に横切り、ハンドル３４の後部３５から前部３６に延びる方向Ｑを全体的に横切る。図示の実施形態では、軸Ｘは方向Ａと略直交し、方向Ｑと略直交する。第１接続軸Ｘは、ハンドル３４の対向する側面３１、３３の一方から他方への方向にも延びる。第１係止部材６５は、第１接続部６０の第１接続面６１から直立する引っかけ部（catch）６６を備える。第１接続面６１は、第１接続軸Ｘと、ハンドル３４の後部３５から前部３６への方向Ｑとに位置合わせされた面内に延びる。
【００５２】
第２接続部７０は、デバイス２０のハウジング２２上に配置される。デバイス２０が電気ドリルである図示の実施形態では、ハウジング２２は、チャックの形態の非駆動部材２１に接続された電気モータアセンブリ１９を収容する。非駆動部材２１は、ハウジング２２の前端から突出する。前端２３の反対側にはハウジング２２の後端２４がある。ハウジング２２は、上端２５と反対側の下端２６も備える。ハウジング２２は、一組の対向する側面２７、２８も備える。上端２５と下端２６は、それぞれハウジング２２の前端２３と後端２４との間に延びる。第２接続部７０が、ハウジング２２の下端２６に設けられる。理解されるように、デバイス２０が電気ドリルモジュール、電気工具の他の形態、または電気デバイスモジュールである他の実施形態では、第２接続部７０がハウジング２２の下端２６に配置される必要はなく、ハウジング２２上の任意の位置にあってよい。例えば、上端２５や側面２７、２８の一方にあってもよいし、または、ハウジング２２の上端２５、下端２６、側面２７、２８の任意の一つまたは複数の上に配置されてもよい。
【００５３】
上述のように、第２接続部７０は第２接続部材７２を備える。第２接続部材７２は、ハウジング２２の前端２３から後端２４への方向Ｒに全体的に延びる隆起部（ridge）７４の形態である。上述のように、第２接続部７０は、第２接続軸Ｙに沿って第２接続部材７２から離して配置される第２係止部材７５を備える。第２接続軸Ｘは、ハウジング２２の下端２６から上端２５に延びる方向Ｂを全体的に横切り、ハウジング２２の前端２３から後端２４に延びる方向Ｒを全体的に横切る。図示の実施形態では、軸Ｙは方向Ｂと略直交し、方向Ｒと略直交する。第２接続軸Ｙは、ハウジング２２の一組の対向する側面２７、２８の一方から他方への方向にも延びる。第２接続部７０は、第２接続軸Ｙと、ハウジング２２の前端２３から後端２４への方向Ｒとに位置合わせされた面内に延びる第２接続面７１を備える。
【００５４】
図示の接続装置５０の実施形態において、第１接続部６０と第２接続部７０の間の相互作用について、さらに詳細に説明する。第１接続部６０と第２接続部７０を結合するために、ユーザは、モジュール３０の前部３６がデバイス２０の前端２３の方を向き、モジュール３０の後部３５がデバイス２０の後端２４と実質的に整列した位置になるように、電力制御モジュール３０とデバイス２０とを互いに対して保持する必要がある。この向きでは、ハンドル３４の後部３５から前部３６への方向Ｑと、デバイス２０のハウジング２２の前端２３から後端２４への方向Ｒとが、実質的に整列する。第１接続軸Ｘが、第２接続軸Ｙと角度的に変位し合流するように、モジュール３０がデバイス２０に対して保持されなければならない。言い換えると、第２接続面７１に対してある角度をなして第１接続面６１が配置される。続いて、隆起部７４がスロット６４内にかみ合うように、第１接続部材６２と第２接続部材７２が互いに対して移動される。スロット６４は曲線断面を有し、隆起部７４も曲線断面を有しており、ユーザは、第１接続面６１が第２接続面７１に向けて枢動するように、デバイス２０に対してモジュール３０を実質的に枢動させることができる。この結果、第１係止部材６５と第２係止部材７５が互いに係合するまで、第１係止部材６５も第２係止部材７５に対して円弧状に枢動する。続いて、ユーザは、第１係止部材６５と第２係止部材７５が係止位置で互いに係合するまで、ハンドル３４の反対側３１に向かう方向に第１係止部材６５が位置している接続面６１の反対側のハンドル３４の一方の側３３に横方向の力を加えなければならない。この位置において、第１接続面６１が第２接続面７１と向かい合って配置される。
【００５５】
図１−６に示す実施形態では、第１係止部材６５は引っかけ部６６の形態であり、第２係止部材７５はロッド７７の形態のアンカーである。引っかけ部６６は軸Ｑの方向に細長く、ロッドは軸Ｒの方向に細長い。引っかけ部６６は、フック形状の断面を有し、軸Ｑの方向に細長い開口６７を備える。引っかけ部６６は、第１接続面６１と第２接続面７１が互いに向かい合う係止位置へと第１係止部材６５と第２係止部材７５が移動したとき、第２係止部材７５のロッド７７を受け入れるように構成される。引っかけ部６６は、ロッド７７が開口部６７内に受け入れられるように引っかけ部６６を移動させる付勢機構（図示せず）を備える。引っかけ部６６は、ロッド７７が開口６７内に受け入れられる位置で引っかけ部６６を保持して引っかけ部６６からロッド７７が外れないようにユーザによって手動操作されるアクチュエータ（図示せず）にも接続される。これによって、第１係止部材６５と第２係止部材７５の分離が防止される。
【００５６】
図７−１６に示す実施形態では、第１係止部材６５ａが、一列に配置された複数の開口６７ａを有するプレート６６ａの形態の引っかけ部を備える。第２係止部材７５ａは、一列に配置されベース７７ａから延びる複数のフック部材７８ａを有するベース７７ａの形態のアンカーを備える。フック部材７８ａは、ベース７７ａから延びる直立部７９ａと、直立部７９ａから前方に延びる横断部８０ａと、をそれぞれ備える。横断部８０ａは、ベース７７ａに対面する先細エッジ８２ａを有する。こうして、フック部材７８ａはそれぞれ、ベース７７ａと横断部８０ａの先細エッジ８２ａとの間に前方に延びるスロット８１を画成する。横断部８０ａの先細エッジ８２ａは、スロット８１が開口端８５ａと反対側の閉鎖端８６ａとを有するような先細の断面をスロット８１に与える。開口端８５ａは、閉鎖端８６ａよりも広い幅を有する。スロット８１ａは、広い方の開口端８５ａから狭い方の閉鎖端８６ａへと次第に細くなる。
【００５７】
第２係止部材７５ａのフック部材７８ａはそれぞれ、第１係止部材６５ａのシート６６ａの開口６７ａのそれぞれ一つの中に受け入れられるように構成される。しかしながら、第１係止部材６５ａのプレート６６ａと複数の開口６７ａは、デバイス２０のハウジング２２に対して前後方向に直線移動可能である。プレート６６ａと複数の開口６７ａは、開口６７ａがフック部材７８ａと整列しておらずフック部材７８ａを中に受け入れることができない後方向にある静止位置に向けて、付勢部材９０ａによって付勢されている。付勢部材９０ａは、らせんばねまたは任意の他の形態の付勢部材であってよい。第１係止部材６５ａは、戻り止め（detent）６４ａがプレート６６ａの当接面６３ａと当接する位置と、戻り止め６４ａが当接面６３ａと当接しない位置との間で枢動可能である枢動戻り止め６４ａを備える。戻り止め６４ａが当接面６３ａと当接すると、戻り止め６４ａは、静止位置の前の位置にプレート６６ａを維持し、付勢部材７８ａによって付加される付勢力に対抗する。そして、第１係止部材６５ａのシート６６ａの開口６７ａを、第２係止部材７５ａのフック部材７８ａと整列させる。フック部材７８ａか開口６７ａと整列すると、第１係止部材６５ａのシート６６ａの開口６７ａを通してフック部材７８ａを受け入れることができる。フック部材７８ａが開口６７ａに受け入れられると、フック部材７８ａの一つが戻り止め６４ａと係合し当接面６３ａと当接しなくなるように移動させ、付勢部材７８ａがプレート６６ａを後の静止位置へと移動できるようになる。
【００５８】
別の形態（図示せず）では、開口６７ａの一つを取り囲むプレート６６ａの表面と係合する先細面を備えてもよい。先細面は、付勢部材９０ａにより加えられる付勢力に対抗して、第１係止部材６５ａの開口６７ａがフック部材７８ａと整列してフック部材７８ａを受け入れる位置まで、プレート６６ａを駆動する。
【００５９】
フック部材７８ａが最初に開口６７ａ内に受け入れられると、第１係止部材６５ａ、第２係止部材７５ａおよびプレート６６ａが前の位置にあり、第１係止部材６５ａと第２係止部材７５ａが互いに対し非係止位置にある。フック部材７８ａが開口６７ａ内に受け入れられた後、付勢部材９０ａによって加えられる付勢力のために、プレート６６ａと複数の開口６７ａとが後位置に向けてフック部材７８ａに対して直線移動することができる。図１６に示すように、プレート６６ａと開口６７ａとが後位置にあるとき、開口６７ａのそれぞれに隣接するエッジ領域６８ａが、フック部材７８ａの前方に延びるスロット８１のそれぞれ一つの中に受け入れられる。開口６７ａのそれぞれに隣接するエッジ領域６８ａがスロット８１ａのそれぞれ一つの中に受け入れられると、第１係止部材６５ａと第２係止部材７５ａとが係止状態になる。係止状態のとき、第１係止部材６５ａと第２係止部材７５ａの互いに対する移動が防止され、これによって第１係止部材６５ａと第２係止部材７５ａを係止する。
【００６０】
プレート６６ａが後位置に向けて移動し始めると、開口６７ａのエッジ領域６８ａがスロット８１ａの開口端８５ａを通して最初に受け入れられる。しかしながら、プレート６６ａが後位置に向けてさらに移動を続けると、先細エッジ８２ａが開口６７ａのエッジ領域６８ａと係合し始める。プレート６６ａが後位置に向けてさらに移動すると、フック部材７８ａに対してプレート６６ａが移動する方向と直交する方向で、力が増加した状態で先細エッジ８２ａが開口６７ａのエッジ領域６８ａと係合する。言い換えると、先細エッジ８２ａは、開口６７ａのエッジ領域６８ａと締まり嵌めで係合する。この理由は、フック部材７８ａに対するプレート６６ａの移動方向と直交する移動により、電気デバイス２０のハウジング２２の第１接続部６０にプレート６６ａが固定され、また、フック部材７８ａに対するプレート６６ａの移動方向と直交する移動により、電力制御モジュール３０のハウジング３２の第２接続部７０に対してフック部材７８ａが固定されるためである。
【００６１】
第２係止部材７５ａのフック部材７８ａに対して後方向に第１係止部材６５ａのプレート６６ａが移動する結果、プレート６６ａの開口６７ａのエッジ領域６８ａと、フック部材７８ａの先細エッジ８２ａとが当接する。プレート６６ａの開口６７ａのエッジ領域６８ａと、フック部材７８ａの先細エッジ８２ａとが当接した結果、第１係止部材６５ａと第２係止部材７５ａの相対移動が防止される。フック部材７８ａのエッジ８２ａが先細になっているので、プレート６６ａに力を加えて後ろ方向に動かすことによって、フック部材７８ａのエッジ８２ａと、プレート６６ａの開口６７ａのエッジ領域６８ａとの係合力を増加することができ、これによって、電気デバイス２０のハウジング２２の第１接続部６０と、電力制御モジュール３０のハウジング３２の第２接続部７０との間に圧縮力を与えることができる。このように、電気デバイス２０のハウジング２２の第１接続部６０と、電力制御モジュール３０のハウジング３２の第２接続部７０とをともに圧縮するように、第１係止部材６５ａと第２係止部材７５ａが構成される。第１係止部材６５ａと第２係止部材７５ａが係止位置にあるとき、電力制御モジュール３０とモジュール式電気デバイス２０が圧縮またはクランプされ、電力制御モジュール３０とモジュール式電気デバイス２０を単一の一体化されたアセンブリにする。
【００６２】
電力制御モジュール３０とデバイス２０を互いから分離する必要があるとき、第１接続部６０と第２接続部７０を分離しなければならない。ハンドル部３４の後端３５にボタン９７ａが配置される。ボタン９７ａは、第１係止部材６５ａのプレート６６ａと複数の開口６７ａとに機械的に結合されている。ボタン９７ａを押すと、第１係止部材６５ａの開口６７ａがフック部材７８ａと整列する位置に向けて、プレート６６ａと複数の開口６７ａとが前方向に駆動される。第１係止部材６５ａの開口６７ａがフック部材７８ａと整列すると、電力制御モジュール３０とデバイス２０とが互いに対して傾いて、第１係止部材６５と第２係止部材７５が第１接続部材６２と第２接続部材７２の周りを図９および１０に示す分離位置まで枢動する。第１係止部材６５ａのシート６６ａの開口６７ａ内からフック部材７８ａが外されると、フック部材７８ａが戻り止め６４ａを解放する。戻り止め６４ａはシート６６ａの当接面６３ａと当接するように付勢され、第１係止部材６５ａのシート６６ａの開口６７ａ内へのフック部材７８ａの再挿入の準備ができた前位置でプレート６６ａを保持する。
【００６３】
図示しない接続装置５０の別の形態では、第１接続部６０が、一列に配置された複数の開口６７ａをそれぞれ有する一組のプレート６６ａの形態の一組の第１係止部材６５ａを備える。一組の第１係止部材６５ａは、第１接続軸Ｘに沿って互いに離れて配置される。第２接続部７０は、一列に配置されベース７７ａから延びる複数のフック部材７８ａをそれぞれ有する一組のベース７７ａの形態の一組の第２係止部材７５ａを備える。一組の第２係止部材７５ａは、第２接続軸Ｙに沿って互いに離れて配置される。接続装置５０は、モジュール３０と電気デバイス２０、第１接続部６０と第２接続部７０を、第１接続軸Ｘよび第２接続軸Ｙと略直交する方向で互いに向けて移動させ、一組の第１係止部材６５ａと一組の第２係止部材７５ａを係止位置にあるようにすることで、電力制御モジュール３０とモジュール式電気デバイス２０の一つとの接続を容易にする。一組の第１係止部材６５ａと一組の第２係止部材７５ａは、上述した係止部材６５ａ、７５ａと実質的に同様に機能する。係止位置では、第１接続部６０と第２接続部７０が互いに結合すると、一組の第１係止部材６５と一組の第２係止部材７５が、係止位置と非係止位置の間で互いに対して移動可能になる。係止位置では、第１接続部６０と第２接続部７０が係止および圧縮され、非係止位置では、第１接続部６０と第２接続部７０が分離可能である。
【００６４】
図１７−１９に示す実施形態では、モジュールアセンブリは、電気デバイス２０と電力制御モジュール３０とを解放可能に接続する接続装置を備える。接続装置は、第１接続部６０と第２接続部７０とを備える。第１接続部６０は、第１接続部材６２と第１係止部材６５ｂを備える。第１係止部材６５ｂは、第１接続軸Ｘに沿って第１接続部材６２から離れて配置される。第２接続部７０は、第２接続部材７２と、第２接続軸Ｙに沿って第２接続部材７２から離れて配置される第２係止部材７５ｂと、を備える。接続装置は、モジュール３０と電気デバイス２０、第１接続部６０と第２接続部７０を、第１接続軸Ｘが第２接続軸Ｙと合流する状態で互いに向けて移動させ、図２、３、９、１０、１５の実施形態に示したのと同様に第１接続部材６２と第２接続部材７２を係合させることによって、電力制御モジュール３０とモジュール式電気デバイス２０の一つとの接続を容易にする。
【００６５】
第１接続部材６２と第２接続部材７２が係合すると、続いて電力制御モジュール３０とモジュール式電気デバイス２０とを互いに対して傾けて、第１接続軸Ｘと第２接続軸Ｙを互いに対して円弧状に移動または枢動させる。この結果、図１、４、７、８、１６の実施形態で示したのと同様に、係止位置で互いに係合するまで、第１係止部材６５ｂと第２係止部材７５ｂとが分離した位置から互いに対して円弧状に移動または枢動する。係止位置では、第１係止部材６５ｂと第２係止部材７５ｂは、係止位置と非係止位置の間で互いに対して移動可能であり、これによってそれぞれ係止状態と非係止状態を提供する。係止状態では、第１係止部材６５ｂと第２係止部材７５ｂが係止および圧縮され、非係止状態では、第１係止部材６５ｂと第２係止部材７５ｂが互いに対して自由に移動する。
【００６６】
接続装置５０ｂは、電力制御モジュール３０とモジュール式電気デバイス２０の一つの分離も容易にする。第１係止部材６５ｂと第２係止部材７５ｂを係止位置から非係止位置まで互いに対して移動させ、これによって第１係止部材６５ｂと第２係止部材７５ｂの状態を係止状態から非係止状態に変更することによって、これが達成される。続いて、電力制御モジュール３０とモジュール式電気デバイス２０を互いに対して傾けると、図２、３、９、１０、１５に示す位置への円弧または枢動運動で互いから離れるように第１接続軸Ｘと第２接続軸Ｙが移動する。電力制御モジュール３０と電気デバイス２０を傾けて、第１接続軸Ｘと第２接続軸Ｙを互いから離して移動させると、第１係止部材６５ｂと第２係止部材７５ｂも互いから離れるように円弧状に移動または枢動する。そして、第１接続軸Ｘが第２接続軸Ｙと合流する状態でモジュール３０と電気デバイス２０を互いから引き離すと、第１接続部材６２と第２接続部材７２が係合から外れて移動する。
【００６７】
図１７−１９に示す実施形態では、第１係止部材６５ｂは、第１接続部６０の第１接続面６１から直立する引っかけ部（catch）６６ｂを備える。引っかけ部６６ｂは、直立部６３ｂと、直立部６３ｂから垂れ下がる細長い隆起部（ridge）の形態の横断部６８ｂと、を備える。横断部６８ｂは、第１接続面６１と対面し第１接続面６１と略平行である第１当接面６４ｂを有する。第１当接面６４ｂは、第１接続面６１と平行であってもよいし、第１接続面６１に対して傾斜していてもよい。横断部６８ｂと第１接続面６１の間には溝６７ｂが画成される。横断部６８ｂは、第１接続面６１とは反対を向き第１接続面６１に対して傾斜している先細エッジまたは傾斜エッジ６９ｂを有する。第２接続部７０の第２係止部材７５ｂは、第２接続面７１内に細長い凹部７７ｂを画成する、細長い隆起部７４ｂの形態のアンカーを備える。細長い凹部７７ｂは、直立凹部７８ｂと、直立凹部７８ｂから垂れ下がる横断凹部７９ｂと、を有する。横断凹部７９ｂは、第２接続面７１の下方に位置し第２接続面７１とは反対を向く第２当接面８０ｂを有する。
【００６８】
一旦第１接続部６０と第２接続部７０が係合すると、第１係止部材６５ｂと第２係止部材７５ｂとが係止位置にある。係止位置において、第１係止部材６５ｂの引っかけ部６６ｂは、第２係止部材７５ｂの凹部７７ｂの中に位置する。係止位置において、第１係止部材６５ｂと第２係止部材７５ｂは、非係止位置と係止位置の間で互いに対して移動可能である。非係止位置では、第１係止部材６５ｂの直立部６３ｂと横断部６８ｂが、第２係止部材７５ｂの直立凹部７８ｂ内に位置する。係止位置では、第１係止部材６５ｂの直立部６３ｂが第２係止部材７５ｂの直立凹部７８ｂ内に位置し、第１係止部材６５ｂの横断部６８ｂが第２係止部材７５ｂの横断凹部７９ｂ内に位置する。この結果、第１当接面６４ｂと第２当接面８０ｂが向かい合って接触し互いに当接する。第１当接面６４ｂは、第１接続面６１に対して傾斜していてもよい。この結果、第２当接面８０ｂと当接しているとき、第１接続面６１と第２接続面７１の間に圧縮力、またはより大きな圧縮力が付加される。非係止位置では、第１係止部材６５ｂと第２係止部材７５ｂが互いに対して移動可能であり、第１接続部６０と第２接続部７０、電力制御モジュール３０とモジュール式電気デバイス２０を互いから分離することができる。係止位置では、第１係止部材６５ｂと第２係止部材７５ｂが互いに対して移動することはできず、第１接続部６０と第２接続部７０、電力制御モジュール３０とモジュール式電気デバイス２０が互いに係合状態でしっかりと保持される。さらに、第１接続部６０と第２接続部７０が係止位置でともに圧縮されるように、第１係止部材６５ｂと第２係止部材７５ｂが構成される。
【００６９】
第１接続部材６２と第２接続部材７２が係合し電力制御モジュール３０とモジュール式電気デバイス２０が互いに対して傾けられ、その結果第１係止部材６５ｂと第２係止部材７５ｂが互いに対して移動するときに、引っかけ部６６ｂの傾斜エッジ６９ｂによって接触面８１ｂが係合する位置に向けて、ばねなどの付勢手段によって第１係止部材６５ｂが付勢されている。第２接続面７１は、直立凹部７８ｂに隣接して位置する傾斜接触面８１ｂを備える。第１係止部材６５ｂと第２係止部材７５ｂを互いに向けて移動させ続けると、引っかけ部の傾斜エッジ６９ｂが傾斜接触面８１ｂ上をスライドし、第１係止部材６５ｂに作用する付勢力に抗して、引っかけ部の傾斜エッジ６９ｂが傾斜接触面８１ｂを通過するように作用する。傾斜エッジ６９ｂが傾斜接触面８１ｂを通過すると、第１係止部材６５ｂの直立部６３ｂと横断部６８ｂが、第２係止部材７５ｂの直立凹部７８ｂに進入することができる。第１係止部材６５ｂと第２係止部材７５ｂを互いに向けて移動させ続けると、第１係止部材６５ｂの横断部６８ｂが第２係止部材７５ｂの横断凹部７９ｂに到達する程度まで、第１係止部材６５ｂの直立部６３ｂと横断部６８ｂが直立凹部７８ｂに進入する。続いて、第１係止部材６５ｂの横断部６８ｂが付勢力によって第２係止部材７５ｂの横断凹部７９ｂ内に付勢され、第１当接面６４ｂと第２当接面８０ｂが向かい合って接触し互いに当接する。その結果、第１係止部材６５ｂと第２係止部材７５ｂが係止位置になる。より詳細には、第１係止部材６５ｂと第２係止部材７５ｂがともに係止される係止位置になる。
【００７０】
電力制御モジュール３０とデバイス２０を互いから分離する必要があるとき、第１接続部６０と第２接続部７０を分離しなければならない。ハンドル３４の側面３１、３３のうちの一つにあるボタン９７ｂが、第１係止部材６５ｂに機械的に結合されている。ボタン９７ｂを押すと、第１係止部材６５ｂに作用する付勢力に抗して第１係止部材６５ｂが作動し、第１係止部材６５ｂが係止位置から非係止位置へと移動する。続いて、電力制御モジュール３０とモジュール式電気デバイス２０とが互いに対して傾けられ、その結果、第１係止部材６５ｂと第２係止部材７５ｂが係止位置から分離位置まで互いに対して円弧状に移動または枢動する。続いて、第１接続部材６２と第２接続部材７２が係合から外れ、これによって電力制御モジュール３０とモジュール式電気デバイス２０とが完全に分離される。
【００７１】
電力制御モジュール３０は、第１接続部６０と第２接続部７０が結合し第１係止部材６５と第２係止部材７５が互いに係止されない限り、トリガ３８の操作を防止するトリガロックを備える。トリガロックは、ボタン９７ａ、９７ｂが押されて電力制御モジュール３０とデバイス２０が互いに分離するときのトリガ３８の操作を防止する機能も有する。トリガ３８の操作を防止するトリガロックは、任意の適切な形態をとってよい。図７−１６に示す実施形態では、トリガ３８の操作を防止するトリガロックは、複数の開口６７ａを有するプレート６６ａが前後に移動するとき、前後に枢動する枢動部材９５ａの形態である。プレート６６ａが前位置にあるとき、枢動部材９５ａはトリガ３８の後面と当接し、トリガ３８の下降と、電源からケーブル５２を介したデバイス２０のモータ１９または他の電動機能部品への電流の伝達を防止する。第１係止部材６５ａと第２係止部材７５ａが係止状態であるときのように、プレート６６ａが後位置にあるとき、枢動部材９５ａはトリガ３８の後面に当接せず、トリガ３８の下降と、電源からケーブル５２を介したデバイス２０のモータ１９または他の電動機能部品への電流の伝達とが可能になる。図１７−１９の実施形態では、トリガロックは、電力制御モジュール３０の第１接続面６１内の押下部材９５ｂの形態である。押下部材９５ｂは、第１接続部６０と第２接続部７０が係合するとき、電気デバイス２０の第２接続面７１上の突起９６ｂと係合する。トリガ３８は、電力制御モジュール３０と電気デバイス２０とが互いに係合しているとき、押下部材９５ｂが突起９６ｂによって押されたときにのみ動作することができる。さらに、電力制御モジュールは、第１係止部材６５ｂと第２係止部材７５ｂを解放または離脱させるボタン９７ｂが押されたときに係合して、トリガ３８の操作を防止する第２トリガロック（図示せず）を備える。第２トリガロックは、トリガ３８の操作時に、すなわちユーザの指によってトリガ３８が押されたときに、第１係止部材６５ｂと第２係止部材７５ｂを解放または離脱させるボタン９７ｂが押されることを防止する機能も有している。
【００７２】
図示した各実施形態では、第１接続部６０は、モジュール３０のハウジング３２の第１接続面６１内の凹部６８内に配置される第１電気接点６９を備える。モジュール３０がデバイス２０から分離したとき、ユーザが接点６９にアクセスしたり、または少なくとも接点６９に不注意に触ったりしないように、凹部６８内に接点６９が配置される。第２接続部７０は、第２接続面７１から突出し直立する第２電気接点７９を備える。第１接続部６０が第２接続部７０と上述した態様で結合するとき、凹部６８内にはめあい第１電気接点６９と係合するように、第２接点７９が構成されている。モジュール３０の第１電気接点６９はモジュール３０のスイッチアセンブリと電気接触し、第２電気接点７９は、デバイス２０のモータ１９または任意の他の電動機能部品と電気接触する。こうして、第１電気接点６９と第２電気接点７９とが互いに係合したとき、トリガ３８の手動操作によりスイッチアセンブリが作動して、電源からケーブル５２を介してデバイス２０のモータ１９または他の電動機能部品に電流が伝達され、これによってデバイス２０を作動する。
【００７３】
図１−６、１７−１９に示す実施形態では、第１接続部材６２は、方向Ｑに延びる細長いスロット６４を備え、第２接続部材７２は、全体的に方向Ｒに延びる隆起部７４の形態である。また、第１係止部材６５、６５ｂは、軸Ｑの方向に細長い開口６７または溝６７ｂを有する引っかけ部６６、６６ｂの形態であり、第２係止部材７５、７５ｂは、軸Ｒの方向に細長い凹部７７ｂを画成するロッド７７または隆起部７４ｂの形態のアンカーである。第１接続部６０と第２接続部７０が結合すると、隆起部７４がスロット６４と嵌め合い第１係止部材５、６５ｂと第２係止部材７５、７５ｂが互いに係合する結果、第１接続部材６２と第２接続部材７２が互いに係合する。その結果、第１係止部材５、６５ｂと第２係止部材７５、７５ｂが係止位置に移動するとき、引っかけ部６６、６６ｂの細長い開口６７または溝６７ｂが第２係止部材７５、７５ｂのロッド７７または隆起部７４ｂを受け入れる。この位置では、第１接続面６１が第２接続面７１と向かい合う位置にある。
【００７４】
上述した本発明の実施形態の利点は、第１接続部材６２と第２接続部材７２が方向ＱおよびＲの細長い全長に沿って互いに接触および係合することである。第１接続部材６２と第２接続部材７２が接触するとき、方向ＱおよびＲは同じ方向である。また、第１係止部材６５、６５ａ、６５ｂと第２係止部材７５、７５ａ、７５ｂが、方向ＱおよびＲの細長い全長に沿って互いに接触し係合する。こうして、ユーザが組み立てられた電気デバイス２０と電力制御モジュール３０をハンドル３４を握って操作し、ハンドルの後部３５から前部３６に向かう方向でハンドル３４に力を加えると、方向ＱおよびＲの細長い全長に沿って、第１接続部材６２と第２接続部材７２の間、および第１係止部材６５、６５ａ、６５ｂと第２係止部材７５、７５ａ、７５ｂの間の接続に沿ってその力がデバイス２０に伝達される。そのようにすると、第１接続部材６２と第２接続部材７２の間、および第１係止部材６５、６５ａ、６５ｂと第２係止部材７５、７５ａ、７５ｂの間で、それぞれの細長い全長に沿って荷重が広がる。また、軸Ｘに沿う方向でのハンドル３４の横方向に加えられる任意の荷重により、ハンドル３４からデバイス２０へと、またはデバイス２０からハンドル３４へと荷重が伝達される。第１接続部材６２と第２接続部材７２、および第１係止部材６５、６５ａ、６５ｂと第２係止部材７５、７５ａ、７５ｂのそれぞれの細長い全長に沿って、荷重が広がる。
【００７５】
図１−５、７、９、１１、１５、１６に示すように、トリガ機構３８はデバイスに接続されたダイアル３８ａを備える。電力制御モジュール３０と電気デバイス２０が図１、４、７、８、１６に示すように組み立てられた状態のとき、ダイアル３８ａは、電源から電気デバイス２０の電動機能部品への電流および／または電圧の流れを変更する。電源から電気デバイス２０への電流または電圧を変更するデバイスは、この目的に適した任意のデバイスであってもよく、接続されている回路を遮断することなくその抵抗値を変更できるように構成された抵抗器（可変抵抗器として知られる）を含んでもよい。ダイアル３８ａは、可変抵抗器を調整して電源から電気デバイス２０への電流を変更するようにユーザによって操作可能である。
【００７６】
第１電気接点６９は、電力制御モジュール３０のハウジング３２の第１接続面６１内の凹部６８内に配置された三つの別々の接点を備える。電気接点の一つは負極であり、他の二つの正極である。正極の一つがオン／オフ形式で電流を受け取る一方、もう一つの正極はトリガ機構３８から可変電流および／または電圧を受け取る。第２接続部７０は第２電気接点７９を備える。しかしながら、第２電気接点７９は二つの電気接点を含む。一つは負極と接触し、もう一つは正極のいずれか一つと接触してオン／オフ形式で電流を受け取るか、可変電流または電圧を受け取る。上述の構成により、電力制御モジュール３０が様々なモジュール式電気デバイス２０と結合することが可能になり、また、電気デバイス２０に合わせてオン／オフ形式または可変形式のいずれでトリガ機構３８が電力を供給することが可能になる。
【００７７】
上述の実施形態のＡＣ電力と異なり、ＤＣ電力を提供する一体のまたは取り外し式電源バッテリーを備える電力制御モジュール（図示せず）の別の形態では、第１電気接点は、電力制御モジュールのハウジングの第１接続面内の凹部の中に配置された５つの別々の接点を備える。二つの電気接点は、例えば工具モジュールの正転モードと反転モードを提供すべく、工具モジュールに可逆の電力を提供する正極および負極として機能する。別の二つの端子は、発光デバイスなどの、電力制御モジュールに接続される別の電動デバイスモジュール用の正極および負極として機能する。別の端子は、バッテリーを充電する充電器に電力制御モジュールを取り付けたときに、センサ信号を充電器に提供する手段として機能する。端子は、バッテリーの充電量の情報を充電器に提供する。端子は、バッテリー電圧の情報やバッテリー抵抗の情報を提供するようにバッテリーに接続されてもよい。代替的に、端子を温度センサなどのセンサに接続して、バッテリー充電の情報を提供してもよい。一つの正極がオン／オフ形式で電流を受け取る一方、別の正極は、トリガ機構３８から可変電流および／または電圧を受け取る。第２接続部７０は第２電気接点７９を備える。しかしながら、第２電気接点７９は二つの電気接点を含む。一つは負極と接触し、もう一つは正極のいずれか一つと接触してオン／オフ形式で電流を受け取るか、可変電流または電圧を受け取る。上述の構成により、電力制御モジュール３０が様々なモジュール式電気デバイス２０と結合することが可能になり、また、電気デバイス２０に合わせてオン／オフ形式または可変形式のいずれでトリガ機構３８が電力を供給することが可能になる。
【００７８】
電力制御モジュール３０に接続可能である電気デバイス２０の様々な形態は、電源から可変電流を受け取ることができ、または受け取るのに適した電動機能部品を備えていてもよい。そのような電気デバイスの例には、電動ドリル、アングルグラインダー、ディスクサンダー、ベルトサンダー、発光デバイスなどが含まれる。この場合、トリガ３８の手動操作と同時にダイアル３８ａの操作により可変抵抗器を調整すると、電動機能部品に供給される電力量が変更される。電気モータである電動機能部品の場合、ダイアル３８ａの操作による可変抵抗器の調整によって、モータの回転速度および／またはモータにより与えられるトルクの量が調節される。発光デバイスまたは他の静的電動デバイスである電動機能部品の場合、ダイアル３８ａの操作による可変抵抗器の調整によって、デバイスにより発せられる光の強度、または電動機能部品に関連する任意の出力の強度が調節される。
【００７９】
電力制御モジュール３０を接続可能な電気デバイス２０の全ての形態が、電源から可変電流を受け取ることができ、または受け取るのに適した電動機能部品を備えている訳ではない。この場合、電力制御モジュール３０と電気デバイス２０は、可変抵抗器の調整および／またはダイアル３８ａの操作を防止するデバイスまたは機構を備えていてもよい。
【００８０】
理解されるように、電力制御モジュール３０と電気デバイス２０が組み立てられた状態のとき、電源から電気デバイス２０の電動機能部品への電流を変化させるデバイスを電力制御モジュール３０が備えていることの利点は、電力制御モジュール３０に接続可能である各電気デバイス２０がそのようなデバイスを備える必要がないことである。したがって、電源から電気デバイス２０の電動機能部品への電流を変化させるデバイスを電力制御モジュール３０に含めることによって、各電気デバイス２０にこの部品を含める必要がなくなる。これは電気デバイス２０の製造コストが低下することを意味する。
【００８１】
図示の実施形態では、デバイス２０が電気ドリルの形態であるが、電気のこぎり、電気ねじ回し、電気ハンマードリル、アングルグラインダー、ベルトサンダー、ディスクサンダーなどの任意の他の携帯型電気工具、芝刈り機、エッジトリマー、ヘッジトリマーなどの電動ガーデニング工具などの、機能を実行するのに電力を必要とする任意の他のデバイスであってもよい。代替的に、デバイス２０は、電動モータを備えず、光源、ラジオ、デジタル音声録再装置などの保管電動機能部品を備えていてもよい。
【００８２】
最後に、本発明の精神および範囲から逸脱することなく、上述した部品の構造および配置に対して、種々の変形、修正および／または追加を導入可能であることを理解し認めるべきである。
【図１】
2013520325.tif 000003
【図２】
2013520325.tif 000004
【図３】
2013520325.tif 000005
【図４】
2013520325.tif 000006
【図５】
2013520325.tif 000007
【図６】
2013520325.tif 000008
【図７】
2013520325.tif 000009
【図８】
2013520325.tif 000010
【図９】
2013520325.tif 000011
【図１０】
2013520325.tif 000012
【図１１】
2013520325.tif 000013
【図１２】
2013520325.tif 000014
【図１３】
2013520325.tif 000015
【図１４】
2013520325.tif 000016
【図１５】
2013520325.tif 000017
2013520325.tif 000018
【図１７】
2013520325.tif 000019
【図１８】
2013520325.tif 000020
【図１９】
2013520325.tif 000021
【手続補正書】
【提出日】平成25年2月5日(2013.2.5)
【手続補正１】
【補正対象書類名】特許請求の範囲
【補正対象項目名】全文
【補正方法】変更
【補正の内容】
【特許請求の範囲】
【請求項１】
電気デバイスと電力制御モジュールとを解放可能に接続する接続装置であって、
前記電気デバイスは電動機能部品を備え、前記電力制御モジュールは、前記電気デバイスと該電力制御モジュールとの接続時に前記電動機能部品への電力の供給を制御するデバイスを備え、
前記接続装置は、前記電気デバイスまたは前記電力制御モジュールの一方に関連する第１接続部を備え、
前記第１接続部は、前記電気デバイスまたは前記電力制御モジュールの他方に関連する第２接続部と係合するように構成され、
前記第１接続部は第１係止部材を有し、前記第２接続部が第２係止部材を有し、
前記第１および第２接続部の係合時に、前記第１および第２接続部が分離可能である非係止位置と、前記第１および第２接続部互いに係止される係止位置との間で、前記第１および第２係止部材が互いに対して移動可能である
ことを特徴とする接続装置。
【請求項２】
前記係止位置において、前記第１および第２接続部がともに圧縮されることを特徴とする請求項１に記載の接続装置。
【請求項３】
前記係止位置において、前記第１および第２係止部材が締まり嵌めで互いに係合することを特徴とする請求項１または２に記載の接続装置。
【請求項４】
前記第１接続部が第１接続部材と前記第１係止部材とを備え、
前記第２接続部が第２接続部材と前記第２係止部材とを備え、
前記第１および第２係止部材が分離位置と係止位置との間で互いに対して移動可能となるように、前記第１および第２接続部材が接続可能であり、
前記係止位置において、前記第１および第２係止部材が係止位置と非係止位置との間で互いに対して移動可能であることを特徴とする請求項１ないし３のいずれかに記載の接続装置。
【請求項５】
前記第１および第２接続部材の接続時に、前記第１および第２係止部材が分離位置と係止位置の間で互いに対して円弧状に枢動するように、前記第１および第２接続部材が枢動可能に接続されることを特徴とする請求項４に記載の接続装置。
【請求項６】
前記第１および第２係止部材がアンカーと可動引っかけ部とを備え、
前記第１および第２係止部材が係止位置にあるとき、前記アンカーが前記引っかけ部に対して自由に移動する非係止位置と、前記アンカーと前記引っかけ部が係合する係止位置との間で、前記引っかけ部が移動可能であることを特徴とする請求項３または４に記載の接続装置。
【請求項７】
前記第１接続部が一組の第１係止部材を備え、前記第２接続部が一組の第２係止部材を備え、
前記第１係止部材が一組のアンカーを備え、前記第２係止部材が一組の可動引っかけ部を備え、
前記第１および第２係止部材が係止位置にあるとき、前記アンカーが前記引っかけ部に対して自由に移動する非係止位置と、前記アンカーと前記引っかけ部が締まり嵌めで係合する係止位置との間で、前記引っかけ部が移動可能であることを特徴とする請求項３ないし６のいずれかに記載の接続装置。
【請求項８】
前記引っかけ部が、前記非係止位置と前記係止位置との間で付勢機構によって少なくとも部分的に作動されることを特徴とする請求項７に記載の接続装置。
【請求項９】
前記引っかけ部が、前記非係止位置と前記係止位置との間で少なくとも部分的に手動操作されることを特徴とする請求項７または８に記載の接続装置。
【請求項１０】
前記引っかけ部は、前記アンカーに隣接する表面と接触する傾斜面を備え、
前記第１および第２係止部材が前記分離位置と前記係止位置との間で互いに対して移動するとき、前記アンカーに隣接する表面に対して前記傾斜面がスライドし、前記係止位置と非係止位置との間で作動されることを特徴とする請求項７、８または９に記載の接続装置。
【請求項１１】
前記第１接続部材と前記第１係止部材が第１接続軸に沿った方向で離れて配置され、
前記第２接続部材と前記第１係止部材が第２接続軸に沿った方向で離れて配置され、
前記第１および第２接続部を接続することは、前記第１接続軸が前記第２接続軸と合流するように前記第２接続部に対して前記第１接続部の方向を合わせ、前記第１および第２接続部材を動かして係合させることを含むことを特徴とする請求項１ないし１０のいずれかに記載の接続装置。
【請求項１２】
前記第１および第２接続部材は、スロットと、該スロット内に受け入れ可能な隆起部と、を備え、これによって前記第１および第２接続部材が接続されることを特徴とする請求項１ないし１１のいずれかに記載の接続装置。
【請求項１３】
前記第１接続部が第１電気接点を備え、前記第２接続部が第２電気接点を備え、
前記第１接続部が前記第２接続部と結合するとき、前記第１および第２電気接点が物理接触するように構成されることを特徴とする請求項１ないし１２のいずれかに記載の接続装置。
【請求項１４】
前記電力制御モジュールがハウジングを備え、
前記電力制御モジュールの接続部の前記電気接点が前記ハウジング内に埋め込まれ、ユーザが該電気接点に接触しないようにすることを特徴とする請求項１３に記載の接続装置。
【請求項１５】
前記電力制御モジュールは、ハンドルと、前記電気デバイスと該電力制御モジュールの接続時に前記機能部品への電力の供給を制御するスイッチアセンブリと、を備えることを特徴とする請求項１ないし１４のいずれかに記載の接続装置。
【請求項１６】
前記電力制御モジュールは、交流電源に接続し該電力制御モジュールへの電力の通過を容易にする電気ケーブルを備えることを特徴とする請求項１ないし１５のいずれかに記載の接続装置。
【請求項１７】
前記電力制御モジュールが充電式電気貯蔵デバイスを備えることを特徴とする請求項１ないし１６のいずれかに記載の接続装置。
【請求項１８】
前記電気デバイスが電力工具モジュールを含むことを特徴とする請求項１ないし１７のいずれかに記載の接続装置。
【請求項１９】
電動機能部品を備える電気デバイスに解放可能に接続される電力制御モジュールであって、
前記電力制御モジュールは、前記電気デバイスと該電力制御モジュールとの接続時に前記電動機能部品への電力の供給を制御するデバイスを備え、
前記電力制御モジュールは、係止部材を有する接続部を有するハウジングを備え、
前記接続部は前記電気デバイスと係合するように構成され、係合時に前記係止部材は係止状態と非係止状態とを有し、
前記非係止状態では、前記電力制御モジュールを前記電気デバイスから分離可能であり、前記係止状態では、前記電力制御モジュールの前記接続部が前記電気デバイスとともに圧縮される
ことを特徴とする電力制御モジュール。
【請求項２０】
前記接続部が接続部材と前記係止部材とを備え、
前記接続部材は前記電気デバイスと接続するように構成され、接続時に、前記係止部材は分離位置と係止位置との間で前記電気デバイスに対して移動可能であり、これによって前記接続部を前記電気デバイスに結合することを特徴とする請求項１９に記載の電力制御モジュール。
【請求項２１】
前記接続部材は、前記電気デバイスの隆起部を受け入れるスロットを備え、前記分離位置と前記係止位置との間で前記スロットと前記隆起部の周りを前記接続部が枢動可能であることを特徴とする請求項２０に記載の電力制御モジュール。
【請求項２２】
前記係止部材は、前記電気デバイスのアンカーと相互作用するように構成された可動引っかけ部を備え、
係止位置において、前記アンカーが前記引っかけ部に対して自由に移動する非係止位置と、前記アンカーと前記引っかけ部が締まり嵌めで係合する係止位置との間で、前記引っかけ部が移動可能であることを特徴とする請求項１９ないし２１のいずれかに記載の電力制御モジュール。
【請求項２３】
前記引っかけ部が、前記非係止位置と前記係止位置との間で付勢機構によって少なくとも部分的に作動されることを特徴とする請求項２２に記載の電力制御モジュール。
【請求項２４】
前記引っかけ部が、前記非係止位置と前記係止位置との間で少なくとも部分的に手動操作されることを特徴とする請求項２２または２３に記載の電力制御モジュール。
【請求項２５】
前記接続部は、前記ハウジング内に埋め込まれた電気接点を備え、該電気接点は、前記接続部が前記電気デバイスと係合するとき、該電気デバイスの突出する電気接点と物理接触するように構成されることを特徴とする請求項１９ないし２４のいずれかに記載の電力制御モジュール。
【請求項２６】
前記電力制御モジュールは、ハンドルと、前記電気デバイスと該電力制御モジュールの接続時に前記機能部品への電力の供給を制御するスイッチアセンブリと、を備えることを特徴とする請求項１９ないし２５のいずれかに記載の電力制御モジュール。
【請求項２７】
前記電力制御モジュールは、交流電源に接続し該電力制御モジュールへの電力の通過を容易にする電気ケーブルを備えることを特徴とする請求項１９ないし２６のいずれかに記載の電力制御モジュール。
【国際調査報告】
2013520325.tif 000022
2013520325.tif 000023